(57)【要約】【課題】  従来の便秘を解消する器具では、寸法が大きく取り扱いが不便となる問題や携帯が困難な上に弁座や椅子に座った状態で使用することができない問題があった。また、球形包絡面状の突起が腹部の上をモ−タに駆動されて回転運動する構成では腸が強制的な力で横方向に捩じられて損傷する問題や振動を利用した方式では変位が小さいので腹を奥深く押さえ込むことができず便通促進効果が得られない問題があった。【解決手段】  人体の腹に納められた大腸近辺の腹の上を深く押すための押圧部材とそれの位置決めを行う締結ベルトに装着されたガイド及び押圧部材にテコの原理を利用して押し付ける力を与える押圧発生手段から構成される押圧装置を１か所ないしは２か所設けて背中に回して締め金を設けた締結ベルトで装着する。押圧部材を腹の中心に向かって押さえ込む深さすなはちストロ−クは、通常の体型の場合、３〜６ｃｍ前後にとる。【選択図】  図２
2005185865.tif 000002
【特許請求の範囲】
【請求項１】
人体の腹に納められた大腸近辺の腹の上を繰り返し押して、人の便秘の解消や排便を促進して健康を維持するための便通促進器具に於いて、
（１）外径が数ｃｍ前後で高さが十ｃｍ前後の円筒形状で形成される押圧部材。
（２）該押圧部材を内側に装着するリング状ないしは円筒状のシリンダ部と該シリンダ部との間に長方形の空間を設けるコの字状の取っ手を該シリンダ部の外側の対向する２か所に設けて構成したガイド。
（３）該押圧部材に押し付け力を手、空気圧力ないしは電磁気力などを加えて該押圧部材を２〜１０ｃｍ前後のストロ−クで往復動させる手段としての押圧発生手段。
（４）２本に分割された帯状のベルトそれぞれの１端をバックルのような締め金で連結し他端を該ガイドの取っ手に取り付けて構成される締結ベルト。
（５）押圧部材を２か所設ける構成で、長さが調整できる面ファスナ−等で形成されるベルトの両側を２か所の該ガイドの取っ手に取り付けられる腹部連結帯。
以上で構成されたことを特徴とする便通促進器具。
【請求項２】
該ガイドのシリンダ部に移動可能に挿入される円筒状のピストン部６ａと該ピストン部の端部に前記シリンダ部の内径より大きな外径を有し腹に当たる先端側がゴルフボ−ルないしは野球ボ−ル相当の大きさの球面状にして接触圧力を緩和する形状となっている押当て部６ｂを設けた段付き円筒形状をするとともに伝熱性の低い木材や樹脂などの材料で構成された押圧部材で構成されたことを特徴とする請求項１記載の便通促進器具。
【請求項３】
締結ベルトのガイド近傍に固定された固定部と棒状の取付部５ｃ及び該取付部を支える該固定部に固定された支持部から構成されているヒンジ、円筒形状のピストン部の腹に押し当てる反対側すなはち押当て部の反対側の端部にＬ字を横にした形状に似た掛け具６ｃを固定して構成された押圧部材、そして棒状の一端に設けたヒンジの取付部５ｃに揺動可能にして取り付けられた装着部４ａとその反対側である他端には手の力を加える部位としての手押し部４ｃが設けた細長いバ−で形成させて中間点を該押圧部材の掛け具６ｃに引っ掛けるとともに該手押し部から該掛け具までの長さを該掛け具から該装着部までの長さの倍以上で形成させたハンドルから構成されるテコの原理を利用した手動式の押圧発生手段を用いて構成されたことを特徴とする請求項１ないしは２記載の便通促進器具。
【発明の詳細な説明】
【技術分野】
【０００１】
本発明は、人間に対する便秘の解消や排便を促進して健康を維持するための便通促進器具に関する。
【背景技術】
【０００２】
寝たきりの老人や病人さらには女性は便秘になりやすい。また、近年の偏りのある食生活や運動不足から便秘に悩む人が増えてきている。このような便秘を解消するための器具が従来から考案されていた。
【０００３】
例えば、便通を改善する装置を体重で押さえて、該装置に装着された転動ロ−ラを手動で直接腹部に押し当てて大腸の蠕動運動を促して便秘の解消や便通の促進を図る方法がある（例えば、特許文献１参照。）。
【０００４】
また、腹部に当てた球形包絡面状の突起部を複数備えたマッサ−ジヘッドを電動機を利用して軸回りに周期的な軌道運動させて腹部を刺激して便秘の解消や便通の促進を図る装置がある（例えば、特許文献２参照。）。
【０００５】
さらには、電気により熱や振動などの物理エネルギ−が発生する押圧面を腹部に当ててマッサ−ジを行い便通の促進を図る装置がある（例えば、特許文献３参照。）。
【特許文献１】特開平８−１０３４７３号公報
【特許文献２】特表平９−５１２７１６号公報
【特許文献３】特開平９−１０３４５９号公報
【発明の開示】
【発明が解決しようとする課題】
【０００６】
以上述べた従来の便秘を解消ないしは便通の促進を図る装置では、器具として大きくなるので取り扱いが不便となる問題や携帯が困難な上に弁座や椅子に座った状態で使用することができない問題があった。
【０００７】
さらには、装置の支柱の長さが長く変形により必要とされる大きな力を加えることができない問題や押圧部材である転圧ロ−ラが大きくて腹を奥深く押さえ込むことができないことから便秘解消の効果が少ない問題などがあった。
【０００８】
また、別の従来例のように、球形包絡面状の突起が腹部の上をモ−タに駆動されて回転運動させることにより腸が横方向に強制的な力を受けて捩じられて損傷を与える問題や当該装置を腹に置いて手で押し付けた状態で使用することから腹への押し付け力の調整が困難となり便通促進効果が得られない問題があった。
【０００９】
さらには、振動を利用した方式では大きな変位が得られないことから腹への必要な押し付け力が得られず便通促進の効果がないなどの問題があった。
【課題を解決するための手段】
【００１０】
人体の腹に納められた大腸近辺の腹の上を深く押すための押圧装置を適性な位置に１か所ないしは２か所腹部に配置してこれを背中に回した締結ベルトで締め付けて腹部に位置決めする。
【００１１】
該押圧装置を腹の上に２か所設ける場合には締結ベルトとともに互いの押圧装置間を連結する腹部連結帯を腹の中央部に設ける。
【００１２】
該締結ベルトは２本に分割した帯状のベルトの間を連結するバックルのような締め金を設けて、腹の大きさに合わせて長さを調整して背中で締結する。押圧装置を２か所設ける場合の腹部連結帯は長さが調整できる面ファスナ−をベルトに取り付けて構成される。
【００１３】
該押圧装置は腹を押さえる押圧部材とそれの位置決めを行う締結ベルトに取り付けられたガイド及び押圧部材に押し付ける力を与える押圧発生手段から構成されている。そして、押圧部材を腹の中心に向かって押さえ込む深さすなはち押圧部材の移動距離であるストロ−クは、腹の体型によって異なるので２〜１０ｃｍ前後の広い範囲で考える必要があるが、通常の体型の場合には３〜６ｃｍ前後の範囲で設定する。
【００１４】
押圧部材を挿入する該ガイドは腕輪のようなリングないしは円筒状のシリンダ部で形成される。該押圧部材の外径より該シリンダ部の内径は、押圧部材の安定した軸方向移動を可能とする程度の小さな隙間を設ける。
【００１５】
押圧発生手段として、手で押圧部材に押し付け力を加える手動式、空気圧力で押圧部材を押し付ける空圧式そして電磁気力で押圧部材を押し付ける電動式が適用可能である。空圧式や電動式では空気ポンプないしはモ−タを駆動するための電源を必要とするが、手動式では電源は不要であり電源に対する使用場所の制約はない。
【００１６】
手動式では手で押圧部材を直接押す方式とテコの原理を利用して押圧部材を間接的に押す方式があるが、テコの原理を利用した場合には小さな力で利用可能となる。
【００１７】
また、第２の課題解決手段は、押圧部材をガイドのシリンダ部のリング内に挿入され軸方向移動させる円柱状のピストン部とその一端に設けられた腹を押す側の押当て部から構成される。
【００１８】
該押当て部の最大径は該ピストン部が挿入されるガイドのシリンダ部内径より大きく形成され、腹に当たる側がゴルフボ−ルないしは野球ボ−ル相当の大きさの球面状にして接触圧力を緩和する形状となっている。また該押圧部材の材料として伝熱性の低い木材や樹脂などを適用することにより、人体に対してヒヤリ感のない優しい構成にできる。
【００１９】
第３の課題解決手段は、テコの原理を利用した手動方式の押圧発生手段を締結ベルトに固定したヒンジの支持部と押圧部材を構成するピストン部の一端に設けた掛り具及び手の押す力を押圧部材に加えるハンドルとで構成される。
【００２０】
該ハンドルの一端はヒンジの支持部に回転自在に取り付けられ、他端は手に持つ手押し部が設けられ、それらの中間を移動自在な形態で掛り具に支えられている。そして、ハンドルを手で押す手押し部から押圧部材のステ−で支える長さを、ヒンジの取付部と押圧部材のステ−までの長さの倍以上で構成する。
【００２１】
上記第１の課題解決手段による作用は次の通りである。すなはち、弁座や椅子ないしは床などに座り腹の筋肉が弛緩した状態で本発明の便通促進器具を使用することにより、腹の左右または一方に設けた押圧部材を適性な力で腹の表面から奥深く押し込むことができる。
【００２２】
この奥深く押し込む動作を左右で繰り返すことにより、大腸などの消化器系が刺激されて活動が活発になり内容物が移動して便通が改善される。押圧部材を腹に押し込む腹の表面からの適性な深さは、腹の体型により異なるが、様々な体型を考慮した場合の幅としては２〜１０ｃｍ前後となる。しかし、通常の腹の大きさを想定した場合の押し込む深さは３〜６ｃｍ前後が適性となる。
【００２３】
このように、大腸が納められている腹の左右を深く押す動作を繰り返すことにより、大腸内に存在するガスを含む内容物の移動を直接的に助ける作用がある。また、締結ベルトの締結部を外し、連結帯の面ファスナ−部を外し、押圧発生手段の一部も取り外し可能な構成となっているので、分解して小さなケースに収納できるので携帯が可能となる。
【００２４】
また、第２の課題解決手段による作用は、押圧部材のピストン部はガイドの穴に挿入され腹に装着された状態では、押当て部の外径はガイドの穴より大きいので、押圧部材が押圧発生手段に押されて往復運動をしてもガイドの穴から抜けることはないので、押圧部材の押す動作が適性な位置で確実に繰り返してできる。
【００２５】
また腹に当たる押圧部材の押当て部は接触圧力を緩和する半球状をしているのと伝熱性の低い木材や樹脂などで作られているので、肌に直接接触しても痛撹を刺激したりヒヤリ感を与えることもなく人体に不快感を与えることがない。
【００２６】
さらに、第３の課題解決手段による作用は、手動式の押圧発生手段を用いているので、周囲に電源のない弁座や椅子に座り腹部の筋肉が弛緩した状態で本発明の便通促進器具がで利用できる。そして、押圧部材の腹への深い食い込みにより大腸などの消化器系が刺激されたり内容物が押されて移動することにより便通が改善される。
【００２７】
その際、ハンドルの全長はヒンジの支持部と掛り具との間の距離の２倍以上の長さで形成されているので、テコの原理から手で加える力は押圧部材に加える必要な力の数分の一と小さな力でできることから女性、老人や子供などの力の小さな人でも必要な押し付け力を腹部に与えることができる。
【００２８】
また、ハンドルの一端が取り付けられているヒンジの支持部と中間を取り付けている掛り具の取り外しは容易なので、本体から外して携帯用のケースに収納できる。
【発明の効果】
【００２９】
弁座や椅子に腰掛けて腹筋が弛緩した状態で、大腸近辺の腹の左右に配置された押圧部材を押圧発生手段を用いて必要な深さまで押し込むことにより、大腸などの消化器が直接刺激されたり内容物が押されて移動するので便通が改善する効果がある。
【００３０】
テコの原理を用いて小さな力で利用できる手動式や力の要らない電動式さらには空圧式の押圧発生手段を用いることにより、老人や女性などの力の小さな人にでも十分に利用できる効果がある。また、手動式の押圧発生手段では、簡便な構成で人体に装着した状態で移動できるし電源のない便所等の場所においても手軽に利用できる効果がある。
【００３１】
締結ベルトや腹部連結帯には長さ調整機能のある締め金や面ファスナ−等を設けて長さを調整することができるので、腹の大きさに合わせて押圧部材を適性な位置に取り付けることが可能となり如何なる体格の人にも装着できて利便性が高まる効果がある。
【００３２】
締結ベルトの締め金と連結帯の面ファスナ−部を外し、押圧発生手段の一部も取り外しが可能で、手で力を加えるハンドルも取り外しでき、分解して小さなケースに収納して携帯できるので、旅先など如何なる場所でも利用できる効果がある。
【００３３】
このように、手動式では本人の自覚に上で装置が取り扱われるので、異常を感じた場合には、手を休めれば良く極めて安全に利用できる効果がある。
【発明を実施するための最良の形態】
【００３４】
以下、本発明の実施の形態を図１〜図６に基づいて説明する。図１は、本発明の便通促進器具１を人体の腹部に装着し、弁座に腰掛けて使用している状態を表している。このように弁座や椅子ないしは床などに座り足を曲げて腹の筋肉が弛緩した状態で便通促進器具１を使用するのが効果的である。
【００３５】
図２に示すように本発明の便通促進器具１は、腹の左右２か所を押さえる２つの押圧部材６とそれぞれをシリンダ部収納するガイド７、該押圧部材それぞれに押し付ける力を与えるハンドル４とヒンジ５からなる押圧発生手段３及びガイド７を腹の定位置に装着する締結ベルト２と２か所のガイド７を連結する腹部連結帯８で構成されている。
【００３６】
押圧部材６は図４に示すように、外径が数ｃｍ前後で高さが十ｃｍ前後の円筒形状のピストン部６ａの下側にガイドのシリンダ部リング７ａ内径より大きな外径でゴルフボ−ルないしは野球ボ−ル相当の大きさの球面状をした押当て部６ｂを設け、ピストン部６ａの上側にはハンドル４を取り付けるＬ字を横にした形に似た金具６ｄが固定されている。また、該押当て部６ｂが腹部に直接接触する場合を想定して、押圧部材の材料を伝熱性の低い木材や樹脂などを用いる。
【００３７】
ガイド７は図７に示すように、リング状ないしは円筒状のシリンダ部と該シリンダ部との間に長方形の空間を設けるコの字状の取っ手７ｂを該シリンダ部の外側の対向する２か所に設けて構成されている。
【００３８】
締結ベルト２は図２に示すように、２本に分割された帯状のベルトそれぞれの１端をバックルのような締め金２ｃで連結し他端をガイドの取っ手７ｂに取り付けて構成される。  
【００３９】
そして、図２に示すように２か所設けたガイド７間は長さが調整できる面ファスナ−等で形成されるベルトの両側を２か所のガイドの取っ手７ｃに取り付けられる腹部連結帯８で連結されている。この腹部連結帯８は面ファスナ−で接着されているので、２か所のガイド７間の距離は腹の大きさに合わせて自在に調整できる。
【００４０】
押圧発生手段３の一部を構成するハンドル４は図５に示すように、棒状の一端に設けた装着部４ａとその反対側には手の力を加える部位としての手押し部４ｃを設けた細長いバ−で形成されている。装着部４ａは、それを横から見た図６に示すように、半円弧に曲げられてヒンジの取付部５ｃに揺動可能に取り付けできるように形成されている。
【００４１】
一方、ハンドルの中間点はを該押圧部材の掛け具６ｃに引っ掛けるとともに中央部からヘの字に大きく曲げられた先に設けた手押し部４ｃから該掛け具までの長さを該掛け具から該装着部までの長さの倍以上で構成されている。
【００４２】
そして、図２に示すようにハンドル４は２か所設けられているが、図５のようにヘの字に曲げられているために、互いが移動時に接触することはない。
【００４３】
また締結ベルト２のガイド近傍の左右２か所に設けられたヒンジ５は、図８に示すように、締結ベルトに固定される固定部５ａと支持部５ｂ及びハンドルの装着部４ａを取り付ける取付部５ｃから構成されている。すなはち、ハンドルの押当て部４ａの半円弧に曲げられた部位がヒンジの取付部５ｃに引っ掛けられて装着されることになる。
【００４４】
押圧部材６を腹に押し込む前の図２の状態から、ハンドルの手押し部４ｃを腹側に押して押圧部材６を腹に押し込んだ状態を示したので図３である。このとき押圧部材は図２に対して図３では２〜１０ｃｍ前後腹側に突出することになる。この突出量は、通常の体格の人では３〜６ｃｍ前後に設定される。
【００４５】
また、図２から図３に至過程においても、２か所のハンドル４は図５に示したようにバ−４ｂは湾曲しているので、互いに接触することはない。
【００４６】
他の発明の押圧部材として、手の力が大きくて必要な押す力が十分出せる人は、ハンドルを利用しないで金具６ｄを外した押圧部材を直接押しても良い。
【００４７】
また他の発明として、リング状のシリンダ部ガイドの代わりに茶筒のようなシリンダに押圧部材のピストンを挿入して形成されるシリンダ内の密閉空間内に空気ポンプから圧力を導入して構成する空圧式の押圧発生手段で構成することも容易に考えられる。
【００４８】
以下、上記構成の動作を説明する。すなはち、弁座や椅子ないしは床などに座り腹の筋肉が弛緩した状態で本発明の便通促進器具１を人体に装着して使用する。
【００４９】
その方法は、ガイド７とヒンジ５の付いた締結ベルト２の締め金２ｃを外した状態で、腹部の適性な位置にガイドが当てがわれるように腹部連結帯８の面ファスナ−を調整して取り付けた後、２か所のガイドそれぞれに押圧部材６を挿入して締結ベルトの締め金２ｃを背中で締め付けて便通促進器具が取り付けられる。
【００５０】
この際、ガイドを当てがう腹部の適性な位置とは腹部の左右に内蔵している大腸近辺の横腹に相当する。
【００５１】
腹部に装着された該便通促進器具を使用する際、最初に左右どちらかの手を用いて手押し部を手前腹側に複数回押した後、反対側の手で同様に複数回押すことを繰り返す。その際、押圧部材を通常の体格の場合には腹の表面から３〜６ｃｍ押し込む。この左右の動作を１サイクルとして、１回の使用に対して２〜６サイクル行う。
【００５２】
押圧部材を腹に押し込む腹の表面からの適性な深さは、腹の体型により異なるが、様々な体型を考慮した場合の幅としては２〜１０cm前後となる。しかし、通常の腹の大きさを想定した場合の押し込む深さは上記の３〜６cm前後が適性となる。
【００５３】
押圧部材のピストン部６ａはガイドのシリンダ部７ａの穴に挿入され腹に装着されるが、押当て部６ｂの外径は該シリンダ部リングの穴より大きく、押圧部材がハンドルに押されて往復運動をしてもガイドの穴から抜けることはないので、押圧部材を適性な場所に押す動作が確実に繰り返しできる。
【００５４】
また腹に当たる押圧部材の押当て部は接触圧力を緩和する半球状をしているのと伝熱性の低い木材や樹脂などで作られているので、肌に直接接触しても使用者に不快感を与えることがない。
【００５５】
その際、ハンドルの全長はヒンジの支持部と掛り具との間の距離の２倍以上の長さで形成されており、テコの原理から手で加える力は押圧部材に加える必要な力の数分の一と小さな力で動作させることができる。
【００５６】
また、ハンドルの一端が取り付けられているヒンジの支持部と中間を取り付けている掛り具の取り外しは容易なので、本体から外して携帯用のケースに収納できる。
【００５７】
さらには、手動式では押圧部材で押された腹の状態と手で押した感触は連動しているので、本人の自覚の上で取り扱われており、異常を感じた場合には手を休めれば良く極めて安全である。
【００５８】
以上の如く、腹の左右または一方に設けた押圧部材を適性な力で腹の表面から奥深く押し込むことができるので、大腸などの消化器系が刺激されて活動が活発になったり内容物が押されて移動することにより大腸の活動を助けて便秘の解消や便通の改善が図れる。
【図面の簡単な説明】
【００５９】
【図１】本発明の便通促進器具を人体に装着した図
【図２】本発明の便通促進器具の押圧部材を押す前の状態図
【図３】本発明の便通促進器具の押圧部材を押した後の状態図
【図４】押圧部材の正面図
【図５】ハンドルの平面図
【図６】図５の一部を示す装着部を横から見た図
【図７】ガイドの正面図
【図８】ヒンジをベルトに取り付けた状態図
【符号の説明】
【００６０】
１    便通促進器具
２    締結ベルト    
２ｃ  締め金
３    押圧発生手段  
４    ハンドル
４ａ  装着部  
４ｃ  手押し部
５    ヒンジ    
５ａ  固定部    
５ｃ  取付部
６    押圧部材  
６ａ  ピストン部
６ｂ  押当て部
６ｃ  掛け部
７    ガイド  
７ａ  シリンダ部
７ｂ  取っ手
８    腹部連結帯
【図１】
2005185865.tif 000003
【図２】
2005185865.tif 000004
【図３】
2005185865.tif 000005
【図４】
2005185865.tif 000006
【図５】
2005185865.tif 000007
【図６】
2005185865.tif 000008
【図７】
2005185865.tif 000009
【図８】
2005185865.tif 000010